(57)【要約】【課題】施錠枠の被施錠枠への施錠が不正に解除されることを抑制できる遊技機を得る。【解決手段】パチンコ機１０では、内枠の係合板１４０がガラス枠の被係合板１８８に係合されることで、ガラス枠が内枠に施錠される。一方、係合板１４０の被係合板１８８への係合が解除されることで、ガラス枠の内枠への施錠が解除される。ここで、係合板１４０が被係合板１８８へ係合される際には、内枠の係止板１７０がロック操作される。これにより、係止部１７４にロック部１５８が係止されて連結板１４６の下方への移動が阻止されることで、係合板１４０先端の上方への回転移動が阻止されて、係合板１４０の被係合板１８８への係合が解除不能にされる。したがって、不正具により係合板１４０の被係合板１８８への係合を解除しようとしても、係合板１４０の被係合板１８８への係合を解除できず、ガラス枠の内枠への施錠が不正に解除されることを抑制できる。【選択図】図１
2008253837.tif 000002
【特許請求の範囲】
【請求項１】
施錠枠が被施錠枠に施錠される遊技機であって、
前記施錠枠及び被施錠枠の何れか一方に設けられ、前記施錠枠及び被施錠枠の何れか他方に設けられた被係合部に係合されることで前記施錠枠が前記被施錠枠に施錠されると共に、前記被係合部への係合が解除されることで前記施錠枠の前記被施錠枠への施錠が解除される係合部材と、
前記施錠枠及び被施錠枠の何れかに設けられ、前記係合部材が前記被係合部へ係合される際にはロック操作されることで前記係合部材の前記被係合部への係合を解除不能にし、鍵部材により前記係合部材の前記被係合部への係合が解除操作される際にはロック解除操作されることで前記係合部材の前記被係合部への係合の解除を許可するロック手段と、
前記施錠枠に施錠されまたは前記被施錠枠が施錠される追加枠と、
後面側に設けられた前記被施錠枠または追加枠と当該被施錠枠または追加枠に施錠される前記施錠枠または被施錠枠の回動外端との隙間を塞ぐ阻止板と、
を備えたことを特徴とする遊技機。
【発明の詳細な説明】
【技術分野】
【０００１】
本発明は、パチンコ機等の遊技機に関する。
【背景技術】
【０００２】
パチンコ機は、例えば後面側において四角形筒状の外枠が設けられており、外枠はパチンコ店の所謂島に固定されている。外枠の前面側全体には、四角形板状の内枠が内枠用施錠機構によって施錠されており、内枠の上位部から中位部には遊技盤が固定されている。
【０００３】
内枠前面側の下位部には、皿枠が皿枠用施錠機構によって施錠されており、皿枠には受皿が設けられている。受皿には遊技球が供給され、受皿内の遊技球が遊技盤へ発射される。
【０００４】
内枠前面側の上位部から中位部及び皿枠前面側の上端には、ガラス枠がガラス枠用施錠機構によって施錠されており、ガラス枠にはガラス窓が固定されている。ガラス窓は遊技盤に対向しており、ガラス窓を介して遊技盤を視認可能とされている。
【０００５】
しかしながら、このようなパチンコ機では、内枠用施錠機構、皿枠用施錠機構及びガラス枠用施錠機構が別々に（別ユニットで）設けられている。このため、パチンコ機への内枠用施錠機構、皿枠用施錠機構及びガラス枠用施錠機構の組付作業性が悪いという問題がある。
【０００６】
また、外枠と内枠との間にピアノ線等の不正具を侵入させることで、外枠と内枠との間の内枠用施錠機構による外枠と内枠との施錠が不正に解除される可能性がある。
【０００７】
さらに、内枠とガラス枠との間にピアノ線等の不正具を侵入させることで、内枠とガラス枠との間のガラス枠用施錠機構による内枠とガラス枠との施錠が不正に解除される可能性もある。
【特許文献１】特開平７−２１３７２２号公報
【発明の開示】
【発明が解決しようとする課題】
【０００８】
本発明は上記事実を考慮し、施錠枠の被施錠枠への施錠が不正に解除されることを抑制できる遊技機を得ることが目的である。
【課題を解決するための手段】
【０００９】
請求項１に記載の遊技機は、施錠枠が被施錠枠に施錠される遊技機であって、前記施錠枠及び被施錠枠の何れか一方に設けられ、前記施錠枠及び被施錠枠の何れか他方に設けられた被係合部に係合されることで前記施錠枠が前記被施錠枠に施錠されると共に、前記被係合部への係合が解除されることで前記施錠枠の前記被施錠枠への施錠が解除される係合部材と、前記施錠枠及び被施錠枠の何れかに設けられ、前記係合部材が前記被係合部へ係合される際にはロック操作されることで前記係合部材の前記被係合部への係合を解除不能にし、鍵部材により前記係合部材の前記被係合部への係合が解除操作される際にはロック解除操作されることで前記係合部材の前記被係合部への係合の解除を許可するロック手段と、前記施錠枠に施錠されまたは前記被施錠枠が施錠される追加枠と、後面側に設けられた前記被施錠枠または追加枠と当該被施錠枠または追加枠に施錠される前記施錠枠または被施錠枠の回動外端との隙間を塞ぐ阻止板と、を備えたことを特徴としている。
【００１０】
請求項１に記載の遊技機では、施錠枠及び被施錠枠の何れか一方に設けられた係合部材が施錠枠及び被施錠枠の何れか他方に設けられた被係合部に係合されることで、施錠枠が被施錠枠に施錠されると共に、係合部材の被係合部への係合が解除されることで、施錠枠の被施錠枠への施錠が解除される。
【００１１】
ここで、係合部材が被係合部へ係合される際には、施錠枠及び被施錠枠の何れかに設けられたロック手段がロック操作されることで、ロック手段によって係合部材の被係合部への係合が解除不能にされる。これにより、仮に施錠枠と被施錠枠との間に侵入されたピアノ線等の不正具により係合部材の被係合部への係合を解除しようとしても、係合部材の被係合部への係合を解除できず、施錠枠の被施錠枠への施錠が不正に解除されることを抑制できる。
【００１２】
また、鍵部材により係合部材の被係合部への係合が解除操作される際には、ロック手段がロック解除操作されることで、ロック手段によって係合部材の被係合部への係合の解除が許可される。これにより、係合部材の被係合部への係合を解除できて、施錠枠の被施錠枠への施錠を解除できる。
【発明の効果】
【００１３】
請求項１に記載の遊技機では、係合部材が被係合部へ係合される際にロック手段がロック操作されることで係合部材の被係合部への係合が解除不能にされるため、不正具により係合部材の被係合部への係合を解除できず、施錠枠の被施錠枠への施錠が不正に解除されることを抑制できる。
【発明を実施するための最良の形態】
【００１４】
図２には、本発明の遊技機が適用されて構成された実施の形態に係るパチンコ機１０が展開された状態の斜視図にて示されている。
【００１５】
本実施の形態に係るパチンコ機１０は、基枠及び追加枠としての略四角形筒状の外枠１２を備えており、外枠１２はパチンコ店の所謂島(図示省略)に固定されている。
【００１６】
外枠１２の前面側には、第１施錠枠及び被施錠枠としての略四角形板状の内枠１４が配設されている。外枠１２の左端及び内枠１４の左端には内枠用ヒンジ機構（図示省略）が設けられており、内枠用ヒンジ機構によって内枠１４の左端が外枠１２の左端に回動自在に支持されることで、内枠１４が外枠１２の前面側全体に対し開放及び閉鎖可能とされている。
【００１７】
内枠１４後面側の左端には、上端から下端に亘って長尺板状の補強板（図示省略）が設けられており、補強板は、内枠１４上端に設けられた内枠用ヒンジ機構構成部品と内枠１４下端に設けられた内枠用ヒンジ機構構成部品とを連絡している。
【００１８】
内枠１４後面側の右端には、上端から下端に亘って、図１に詳細に示す施錠ユニット１６が配設されており、施錠ユニット１６はユニット基板１８を備えている。ユニット基板１８は、前側に配置された長尺平板状の前板２０と、左側に配置された長尺平板状の左板２２と、を有して全体として断面Ｌ字状とされており、前板２０において内枠１４後面側に固定されている。
【００１９】
前板２０には、鍵挿入部材２４が固定されており、鍵挿入部材２４には鍵挿入孔２６（図２参照）が設けられている。鍵挿入孔２６は内枠１４（パチンコ機１０）の前面側へ開放されており、鍵挿入孔２６内には内枠１４（パチンコ機１０）の前面側から鍵部材２８を挿入可能とされている。
【００２０】
鍵挿入部材２４の後側にはカム板３０が固定されており、カム板３０は前板２０の後方に配置されている。カム板３０の下部には内枠用突起３２が一体に形成されており、内枠用突起３２は前方へ突出している。カム板３０の上部にはガラス枠用突起３４が一体に形成されており、ガラス枠用突起３４は後方へ突出している。ここで、鍵部材２８を鍵挿入孔２６内に挿入して図１の矢印Ａの方向（時計回り方向）へ回転させることで、カム板３０が矢印Ａの方向へ回転されて内枠用突起３２が上方へ移動される。一方、鍵部材２８を鍵挿入孔２６内に挿入して図１の矢印Ｂの方向（反時計回り方向）へ回転させることで、カム板３０が矢印Ｂの方向へ回転されてガラス枠用突起３４が下方へ移動される。
【００２１】
施錠ユニット１６には、上位部から下位部に亘って第１施錠機構としての内枠用施錠機構３６が設けられている。内枠用施錠機構３６は、支持板３８を一対有しており、支持板３８は前板２０後面の上部及び下部のそれぞれに所定数（本実施の形態では２つ）のリベット（図示省略）によって固定されている。各支持板３８には、係合板４０が、基端（前端）近傍においてカシメピン（図示省略）によって回転自在に支持されている。各支持板３８には、各係合板４０基端の上方及び下方において当接突起４２が形成されており、各係合板４０は、基端上縁が上側の当接突起４２に当接する角度と基端下縁が当接突起４２に当接する角度との間の範囲内で回転可能とされている。
【００２２】
各係合板４０の先端（後端）近傍には係合孔４４が形成されており、係合孔４４は上方へ開口している。さらに、各係合板４０の先端上縁には、先端側へ向けて下方へ傾斜する傾斜板４６が形成されており、各傾斜板４６の基端（前端）は各係合孔４４に隣接している。
【００２３】
上側の係合板４０の基端には、連絡手段を構成する上連絡板４８の上部がカシメピン（図示省略）によって回転自在に支持されると共に、下側の係合板４０の基端には、連絡手段を構成する下連絡板５０の下部がカシメピン（図示省略）によって回転自在に支持されている。上連絡板４８及び下連絡板５０は、前板２０の後面との間に架け渡された引張コイルスプリング５２によって下方へ付勢されており、これにより、各係合板４０に回転力が付与されて、各係合板４０基端の下縁が各下側の当接突起４２に当接されている。また、上連絡板４８の下部及び下連絡板５０の上部には、カシメピン５４が固定されている。
【００２４】
上連絡板４８と下連絡板５０とは、連絡手段を構成する長尺板状の連絡板５６によって連絡されている。連絡板５６の上端及び下端には、上下方向に沿う長孔５８が形成されており、各長孔５８内には各カシメピン５４が挿通されている。連絡板５６の下部には、右方へコ字状に突出する阻止突起６０が形成されており、阻止突起６０の下端が、前板２０の後面に形成された当接板６２に当接することで、連絡板５６の下方への移動が阻止されている。ここで、各長孔５８の下端には、引張コイルスプリング５２の付勢力によって各カシメピン５４が当接されており、これにより、連絡板５６が下方へ付勢されている。なお、連絡板５６の右側方における前板２０後面には、所定数（本実施の形態では３つ）の案内突起６４が形成されており、所定数の案内突起６４によって連絡板５６の上下方向への移動が案内される。
【００２５】
連絡板５６の上部には解除突起６６が形成されており、解除突起６６は右方へ突出している。解除突起６６は上記内枠用突起３２の上方に配置されており、上述の如く鍵部材２８を鍵挿入孔２６内に挿入して図１の矢印Ａの方向へ回転させることで内枠用突起３２が上方へ移動された際に、解除突起６６が内枠用突起３２に上方へ押圧されて、連絡板５６が引張コイルスプリング５２の付勢力に抗して上方へ移動される。また、連絡板５６の上部には、解除突起６６の後側側方において挿通孔６８が形成されており、挿通孔６８は上下方向に長尺とされている。
【００２６】
図２に示す如く、各係合板４０に対応して外枠１２の右壁内側には、被係合板７０が一対固定されており、各被係合板７０は、断面Ｌ字状とされて、後側が外枠１２右壁から左方へ突出している。
【００２７】
ここで、内枠１４が外枠１２に対し閉鎖側へ回動されることで、各係合板４０の傾斜板４６が各被係合板７０後側に当接して各係合板４０の先端が引張コイルスプリング５２の付勢力に抗して下方へ回転移動され、かつ、各係合板４０の係合孔４４が各被係合板７０に到達した際に各係合板４０の先端が引張コイルスプリング５２の付勢力によって上方へ回転移動される。これにより、各係合孔４４内に各被係合板７０が収容されて各係合板４０が各被係合板７０に係合（係止）され、内枠１４が外枠１２に対し閉鎖かつ施錠される。
【００２８】
一方、上述の如く鍵部材２８を鍵挿入孔２６内に挿入して矢印Ａの方向へ回転させることで連絡板５６が上方へ移動された際には、上連絡板４８及び下連絡板５０が上方へ移動されて、各係合板４０の先端が下方へ回転移動される。これにより、各係合孔４４内への各被係合板７０の収容が解除されて各係合板４０の各被係合板７０への係合が解除され、したがって、内枠１４の外枠１２への施錠が解除されて、内枠１４を外枠１２に対し開放できる。
【００２９】
また、内枠１４が外枠１２に対し閉鎖かつ施錠された際には、下側の係合板４０と独立して上側の係合板４０先端を下方へ回転移動させても、上連絡板４８のカシメピン５４が連絡板５６上端の長孔５８内を上方へ移動することで、連絡板５６が上方へ移動せず、下側の係合板４０が下側の被係合板７０に係合された状態が維持される。さらに、上側の係合板４０と独立して下側の係合板４０先端を下方へ回転移動させても、下連絡板５０のカシメピン５４が連絡板５６下端の長孔５８内を上方へ移動することで、連絡板５６が上方へ移動せず、上側の係合板４０が上側の被係合板７０に係合された状態が維持される。
【００３０】
図１に示す如く、ユニット基板１８の前板２０右縁には、上端から下端に亘って（本実施の形態では、鍵挿入部材２４固定部位を除く）阻止板７２が形成されており、阻止板７２は前板２０から後方へ突出している。ここで、内枠１４が外枠１２に対し閉鎖かつ施錠された際には、阻止板７２が内枠１４の右端と外枠１２の右端との隙間を塞ぎ、これにより、この隙間からピアノ線等の不正具が侵入されることが抑制される。
【００３１】
図２に示す如く、内枠１４には、上位部から中位部に亘って遊技盤７４が固定されており、遊技盤７４には後述の如く遊技球（図示省略）が発射される。さらに、内枠１４前面側の下位右部には、排出口７６が設けられており、パチンコ機１０から払い出される遊技球が排出口７６から排出される。
【００３２】
図３に詳細に示す如く、内枠１４の前面側には、排出口７６に対応して板状の排球シャツター７８が設けられており、排球シャツター７８は第１リンク部材８０の左端に回転自在に支持されている。第１リンク部材８０の右端は内枠１４に回転自在に支持されており、第１リンク部材８０が回転することで排球シャツター７８が上下方向へ移動可能とされている。また、第１リンク部材８０の略中央部は、内枠１４との間に架け渡された引張コイルスプリング８２によって下方へ付勢されており、これにより、排球シャツター７８が下方へ付勢されている。
【００３３】
第１リンク部材８０の左端は接続部材８４の下端を回転自在に支持しており、接続部材８４の上端は第２リンク部材８６の左端に回転自在に支持されている。第２リンク部材８６の略中央は内枠１４に回転自在に支持されており、第２リンク部材８６の右端には閉塞ピン８８が固定されている。第２リンク部材８６の右側（内枠１４に支持される部位の右側）には侵入突起９０が一体に設けられており、侵入突起９０は第２リンク部材８６から上方へ突出している。
【００３４】
内枠１４の前面側には、第２リンク部材８６の上方において回転板９２が配設されており、回転板９２は、中央において内枠１４に支持されて、前後方向へ回転自在とされている。回転板９２の上部は、内枠１４との間に架け渡された圧縮コイルスプリング９４によって前方へ付勢されている。ここで、後に詳細に説明する如く、引張コイルスプリング８２の付勢力による侵入突起９０の上方への移動が回転板９２の下端に係止された際には、排球シャツター７８が排出口７６の下部を閉塞する一方、引張コイルスプリング８２の付勢力により侵入突起９０が回転板９２の下部と内枠１４との間に侵入された際には、排球シャツター７８が排出口７６を閉塞しない。
【００３５】
図２に示す如く、内枠１４の前面側には、排球シャツター７８の近傍において、接触突起９６が設けられている。
【００３６】
内枠１４の前面側には、下位部において第２施錠枠としての略四角形板状の皿枠９８が配設されている。内枠１４の左端及び皿枠９８の左端には皿枠用ヒンジ機構（図示省略）が設けられており、皿枠用ヒンジ機構によって皿枠９８の左端が内枠１４の左端に回動自在に支持されることで、皿枠９８が内枠１４の前面側下位部に対し開放及び閉鎖可能とされている。
【００３７】
図１に示す如く、上記施錠ユニット１６には、下位部において第２施錠機構としての皿枠用施錠機構１００が設けられている。皿枠用施錠機構１００は、基板１０２を有しており、基板１０２の上部及び下端には、上下方向に沿う長孔１０４が形成されている。各長孔１０４にはカシメピン１０６が挿通されており、各カシメピン１０６がユニット基板１８の左板２２左面に固定されることで、基板１０２が左板２２に取り付けられている。基板１０２は左板２２左面との間に架け渡された引張コイルスプリング１０８によって上方へ付勢されており、これにより、各長孔１０４の下端が各カシメピン１０６に当接している。基板１０２の上端には解除板１１０が一体に形成されており、解除板１１０は、ユニット基板１８の前板２０前面側に配置されて、内枠１４前面側の皿枠９８配設位置上方から露出している（図２参照）。左板２２の下端には、制限突起１１２が形成されており、制限突起１１２は左板２２から左方へ突出している。制限突起１１２には基板１０２の下縁が当接可能とされており、これにより、基板１０２の制限突起１１２を越えての下方への移動が制限されている。
【００３８】
基板１０２には一対の係合板１１４が一体に形成されており、各係合板１１４は、基板１０２から前方へ突出して、内枠１４の前面側から露出している（図２参照）。各係合板１１４の先端（前端）近傍には係合孔１１６が形成されており、各係合孔１１６は上方へ開口している。各係合板１１４の先端上縁には、先端側へ向けて下方へ傾斜する傾斜部１１８が形成されており、各傾斜部１１８の基端（後端）は各係合孔１１６に隣接している。
【００３９】
図２に示す如く、皿枠９８後面側の右部には被係合板１２０が固定されており、被係合板１２０には、係合板１１４を挿入可能な挿入開口１２２が一対形成されることで、各挿入開口１２２の直上に被係合部１２４が形成されている。
【００４０】
ここで、皿枠９８が内枠１４に対し閉鎖側へ回動されることで、各係合板１１４の傾斜部１１８が被係合板１２０の各被係合部１２４に当接して各係合板１１４が引張コイルスプリング１０８の付勢力に抗して下方へ移動され、かつ、各係合板１１４の係合孔１１６が各被係合部１２４に到達した際に各係合板１１４が引張コイルスプリング１０８の付勢力によって上方へ移動される。これにより、各係合孔１１６内に各被係合部１２４が収容されて各係合板１１４が各被係合部１２４に係合（係止）され、皿枠９８が内枠１４に対し閉鎖かつ施錠される。
【００４１】
一方、引張コイルスプリング１０８の付勢力に抗して解除板１１０を下方へ移動させることで、基板１０２と一体に各係合板１１４が下方へ移動される。これにより、各係合孔１１６内への各被係合部１２４の収容が解除されて各係合板１１４の各被係合部１２４への係合が解除され、したがって、皿枠９８の内枠１４への施錠が解除されて、皿枠９８を内枠１４に対し開放できる。
【００４２】
図１に示す如く、基板１０２には一対の係合板１１４の間において閉塞突起１２６が一体に形成されており、閉塞突起１２６は、基板１０２から左方へ突出すると共に、内枠１４の前面側から露出している（図２参照）。
【００４３】
図３に詳細に示す如く、閉塞突起１２６の下方には、上記閉塞ピン８８が配置されており、解除板１１０が下方へ移動されて皿枠９８が内枠１４に対し開放される際には、基板１０２と一体に閉塞突起１２６が下方へ移動されて閉塞ピン８８を押し下げることで、上記第２リンク部材８６の侵入突起９０が上記回転板９２の下方に配置されて、上記圧縮コイルスプリング９４の付勢力によって回転板９２の下端が内枠１４に当接する。これにより、皿枠９８が内枠１４に対し開放されて引張コイルスプリング１０８の付勢力によって基板１０２と一体に閉塞突起１２６が上方へ移動された際でも、上記引張コイルスプリング８２の付勢力による侵入突起９０の上方への移動が回転板９２の下端に係止されて、上記排球シャツター７８が上記排出口７６の下部を閉塞する。したがって、皿枠９８が内枠１４に対し開放された際には、排出口７６から遊技球がこぼれ出ることが防止される。
【００４４】
一方、皿枠９８が内枠１４に対し閉鎖され、かつ、後述の如くガラス枠１３６が内枠１４に対し閉鎖された際には、ガラス枠１３６が回転板９２の上部を後方へ押圧することで、圧縮コイルスプリング９４の付勢力に抗して回転板９２の下端と内枠１４との間に隙間ができ、引張コイルスプリング８２の付勢力により侵入突起９０が回転板９２の下部と内枠１４との間に侵入される。これにより、排球シャツター７８が下方へ移動されて排出口７６を閉塞せず、排出口７６からの遊技球の排出が許可される。
【００４５】
また、皿枠９８の前面側には、受皿（図示省略）が設けられており、受皿には遊技球が供給される。図２に示す如く、皿枠９８の前面側には、受皿下方の右部において発射ハンドル１２８が設けられており、発射ハンドル１２８が回転操作されることで、受皿に供給された遊技球が上記遊技盤７４上に発射される。
【００４６】
皿枠９８の右部には、供給口１３０が設けられており、供給口１３０は、受皿内に連通されると共に、皿枠９８が内枠１４に対し閉鎖された際に排出口７６に連通される。皿枠９８の後面側には、供給口１３０に対応して板状の受球シャツター１３２が設けられており、受球シャツター１３２は、上下方向へ移動可能とされると共に、上方へ付勢されている。受球シャツター１３２の下部には移動突起１３４が設けられており、移動突起１３４は受球シャツター１３２と一体に移動する。
【００４７】
ここで、皿枠９８が内枠１４に対し閉鎖された際には、移動突起１３４が上記接触突起９６に接触して下方へ押し下げられる。これにより、受球シャツター１３２が下方へ移動されて供給口１３０を閉塞せず、排出口７６から排出された遊技球の供給口１３０を介しての受皿内への供給が許可される。一方、皿枠９８が内枠１４に対し開放された際には、受球シャツター１３２が付勢力により上方へ移動されて供給口１３０の下部を閉塞する。これにより、受皿内の遊技球が供給口１３０からこぼれ出ることが防止される。
【００４８】
内枠１４の前面側には、上位部から中位部に亘って第３施錠枠及び施錠枠としての略四角形板状のガラス枠１３６が配設されている。内枠１４の左端及びガラス枠１３６の左端にはガラス枠用ヒンジ機構（図示省略）が設けられており、ガラス枠用ヒンジ機構によってガラス枠１３６の左端が内枠１４の左端に回動自在に支持されることで、ガラス枠１３６が内枠１４前面側の上位部から中位部（上記皿枠用施錠機構１００の解除板１１０を含む）に対し開放及び閉鎖可能とされている。また、ガラス枠１３６後面側の下端は皿枠９８前面側の上端に当接可能とされて、ガラス枠１３６が皿枠９８前面側の上端に対し開放及び閉鎖可能とされており、ガラス枠１３６が内枠１４に対し閉鎖される際には、皿枠９８も内枠１４に対し閉鎖される。
【００４９】
図１に示す如く、上記施錠ユニット１６には、上位部から中位部に亘って第３施錠機構としてのガラス枠用施錠機構１３８が設けられており、ガラス枠用施錠機構１３８は上記内枠用施錠機構３６の左方に配置されている。ガラス枠用施錠機構１３８は、係合部材としての係合板１４０を一対有しており、係合板１４０は、略中央部においてユニット基板１８の左板２２右面の上端と中位部下端とにカシメピン（図示省略）によって回転自在に支持されている。各係合板１４０は、ユニット基板１８の前板２０から前方へ突出して、内枠１４の前面側から露出している（図２参照）。
【００５０】
各係合板１４０の先端（前端）近傍には係合孔１４２が形成されており、係合孔１４２は下方へ開口している。さらに、各係合板１４０の先端下縁には、先端側へ向けて上方へ傾斜する傾斜板１４４が形成されており、各傾斜板１４４の基端（後端）は各係合孔１４２に隣接している。
【００５１】
一対の係合板１４０は、長尺板状の連結板１４６によって連結されており、上側の係合板１４０の基端は連結板１４６の上端にカシメピン（図示省略）によって回転自在に支持されると共に、下側の係合板１４０の基端は連結板１４６の下端にカシメピン（図示省略）によって回転自在に支持されている。
【００５２】
連結板１４６の上部には長孔１４８が形成されており、長孔１４８内にはカシメピン１５０が挿通されている。カシメピン１５０は、連結板１４６の左方に配置された制限板１５２の中央に固定されており、制限板１５２の下端は左板２２の右面にカシメピン（図示省略）によって回転自在に支持されている。ここで、長孔１４８の上端または下端にカシメピン１５０が当接することで、連結板１４６の上下方向における移動範囲、ひいては、各係合板１４０の回転範囲が制限される。
【００５３】
連結板１４６右面の下部には、ロック手段を構成するロック板１５４の下部がリベット（図示省略）によって回転自在に支持されており、ロック板１５４の中央部には後方へ延伸する延伸部１５６が形成されている。ロック板１５４の上部には、ロック部１５８が形成されており、ロック部１５８は、前方へ突出すると共に、下端が前方へ向かうに従い下方へ向かう方向に傾斜されている。さらに、連結板１４６の下部にはロック板１５４の下方においてロック突起１６０が設けられており、ロック突起１６０は、右方へ突出すると共に、延伸部１５６が下方へ移動される方向へロック板１５４が回転された際にロック板１５４の下縁が当接可能とされている。
【００５４】
連結板１４６の中央部には、挿通孔１６２が形成されており、挿通孔１６２は上下方向に長尺とされている。さらに、連結板１４６には、挿通孔１６２の下方において貫通孔１６４が形成されており、貫通孔１６４は上下方向に長尺とされている。
【００５５】
ユニット基板１８の左板２２中央部には挿入板１６６が形成されており、挿入板１６６は右方へ突出している。挿入板１６６には挿入孔１６８が形成されており、挿入孔１６８は上下方向に長尺とされている。
【００５６】
ユニット基板１８の左板２２中央部には、挿入板１６６の上方においてロック手段を構成する係止板１７０の上部前端がカシメピン（図示省略）によって回転自在に支持されており、このカシメピンが連結板１４６の貫通孔１６４及び下記移動板１７８の貫通孔１８０に挿通されることで、係止板１７０は連結板１４６とロック板１５４との間に配置されている。係止板１７０の下端近傍には、前方へ延伸する当接部１７２が形成されており、当接部１７２は、挿入孔１６８に挿入されると共にユニット基板１８の前板２０から突出されて、内枠１４の前面側から露出している（図２参照）。係止板１７０の下端には係止部１７４が形成されており、係止部１７４は右方へ突出している。
【００５７】
係止板１７０の上部後端（カシメピンよりも後側の部位）とロック板１５４の上部後端（リベットよりも後側の部位）との間には、引張コイルスプリング１７６が架け渡されており、引張コイルスプリング１７６は、係止板１７０を下方へ付勢して、係止部１７４を挿入板１６６の下部に当接させている。さらに、引張コイルスプリング１７６は、ロック板１５４を上方へ付勢してロック部１５８を挿入板１６６の上部に当接させると共にロック板１５４下縁をロック突起１６０から離間させ、かつ、連結板１４６を上方へ付勢して長孔１４８の下端にカシメピン１５０を当接させている。
【００５８】
ユニット基板１８の左板２２と連結板１４６との間には、移動板１７８が配設されている。移動板１７８の中央部には貫通孔１８０が形成されており、貫通孔１８０は、上下方向に長尺とされて、上述の如く係止板１７０を支持するカシメピンが挿通されている。移動板１７８の下端には係合突起１８２が形成されており、係合突起１８２は、右方へ突出して、ロック板１５４の延伸部１５６に係合（載置）されている。
【００５９】
移動板１７８の上部には、解除突起１８４が形成されており、解除突起１８４は右方へ突出して、連結板１４６の挿通孔１６２及び上記連絡板５６の挿通孔６８に挿通されている。解除突起１８４は上記ガラス枠用突起３４の下方に配置されており、上述の如く鍵部材２８を鍵挿入孔２６内に挿入して図１の矢印Ｂの方向へ回転させることでガラス枠用突起３４が下方へ移動された際には、解除突起１８４がガラス枠用突起３４に押圧されて、ロック板１５４の延伸部１５６が下方へ押圧される。
【００６０】
ユニット基板１８の左板２２には、中位部上側の後縁において係止突起１８６が形成されており、係止突起１８６は移動板１７８の後方への移動を係止可能とされている。これにより、係合突起１８２と延伸部１５６との係合及び解除突起１８４のガラス枠用突起３４下方への配置が解除されることが防止されている。
【００６１】
図２に示す如く、各係合板１４０に対応してガラス枠１３６の右端には、被係合部としての被係合板１８８が一対固定されており、各被係合板１８８は、断面Ｌ字状とされて、後側が左方へ突出している。
【００６２】
ここで、ガラス枠１３６が内枠１４に対し閉鎖側へ回動されることで、各係合板１４０の傾斜板１４４が各被係合板１８８後側に当接して各係合板１４０の先端が引張コイルスプリング１７６の付勢力に抗して上方へ回転移動され、かつ、各係合板１４０の係合孔１４２が各被係合板１８８に到達した際に各係合板１４０の先端が引張コイルスプリング１７６の付勢力によって下方へ回転移動される。これにより、各係合孔１４２内に各被係合板１８８が収容されて各係合板１４０が各被係合板１８８に係合（係止）され、ガラス枠１３６が内枠１４に対し閉鎖かつ施錠される。
【００６３】
また、ガラス枠１３６が内枠１４に対し閉鎖かつ施錠される際には、ガラス枠１３６によって係止板１７０の当接部１７２が後方へ移動されて、係止板１７０の係止部１７４がロック板１５４のロック部１５８下方に配置される。これにより、係合板１４０の先端を上方へ回転移動させようとしても、係止部１７４にロック部１５８が係止されることで、連結板１４６の下方への移動が阻止されて、各係合板１４０の各被係合板１８８への係合を解除できない。
【００６４】
一方、上述の如く鍵部材２８を鍵挿入孔２６内に挿入して矢印Ｂの方向へ回転させることでロック板１５４の延伸部１５６が下方へ押圧された際には、引張コイルスプリング１７６の付勢力に抗してロック板１５４が回転されることで、ロック板１５４の下縁がロック突起１６０に当接すると共に、ロック部１５８が係止部１７４の後側へ移動されて、ロック部１５８が係止部１７４に係止されることなく連結板１４６が下方へ移動される。これにより、各係合板１４０の先端が上方へ回転移動されることで、各係合孔１４２内への各被係合板１８８の収容が解除されて各係合板１４０の各被係合板１８８への係合が解除される。したがって、ガラス枠１３６の内枠１４への施錠が解除されて、ガラス枠１３６を内枠１４に対し開放できる。
【００６５】
図２に示す如く、ガラス枠１３６には、ガラス窓１９０が固定されており、ガラス枠１３６が内枠１４に対し閉鎖された際には、ガラス窓１９０が遊技盤７４に対向することで、ガラス窓１９０を介して遊技盤７４を視認可能とされた構成である。
【００６６】
次に、本実施の形態の作用を説明する。
【００６７】
以上の構成のパチンコ機１０では、外枠１２と内枠１４が内枠用施錠機構３６によって施錠され、内枠１４と皿枠９８とが皿枠用施錠機構１００によって施錠され、内枠１４及び皿枠９８とガラス枠１３６とがガラス枠用施錠機構１３８によって施錠される。
【００６８】
ここで、内枠用施錠機構３６、皿枠用施錠機構１００及びガラス枠用施錠機構１３８がユニット基板１８によって一体化（ユニット化）されて施錠ユニット１６とされているため、内枠１４への内枠用施錠機構３６、皿枠用施錠機構１００及びガラス枠用施錠機構１３８の組付作業性を向上させることができる。
【００６９】
さらに、内枠用施錠機構３６、皿枠用施錠機構１００及びガラス枠用施錠機構１３８が一体化されて施錠ユニット１６とされているため、施錠ユニット１６が組み付けられた内枠１４を施錠ユニット１６によって補強することができる。これにより、内枠１４の右端（施錠ユニット１６による補強部位）に別の補強部材を設ける必要をなくすことができる。
【００７０】
しかも、内枠１４の左端に補強板が設けられているため、内枠１４を一層補強することができる。
【００７１】
さらにまた、内枠１４に設けられた係合板４０が外枠１２に設けられた被係合板７０に係合される（係合板４０の係合孔４４内に被係合板７０が収容される）ことで、内枠１４が外枠１２に施錠される。また、係合板４０が解除操作される（係合板４０の先端が下方へ回転移動される）ことで、係合板４０の被係合板７０への係合が解除される。
【００７２】
また、係合板４０が一対設けられると共に、一対の係合板４０が上連絡板４８、連絡板５６及び下連絡板５０によって連絡されており、鍵部材２８を鍵挿入孔２６内に挿入して矢印Ａの方向へ回転させることで連絡板５６が上方へ移動された際には、上連絡板４８及び下連絡板５０が上方へ移動されて、一対の係合板４０が共に解除操作されることで、各係合板４０の各被係合板７０への係合が解除されて、内枠１４の外枠１２への施錠が解除される。
【００７３】
ここで、上側の係合板４０が下側の係合板４０と独立して解除操作された際には、上連絡板４８のカシメピン５４が連絡板５６上端の長孔５８内を上方へ移動することで、連絡板５６が上方へ移動せず、下側の係合板４０が解除操作されない。一方、下側の係合板４０が上側の係合板４０と独立して解除操作された際には、下連絡板５０のカシメピン５４が連絡板５６下端の長孔５８内を上方へ移動することで、連絡板５６が上方へ移動せず、上側の係合板４０が解除操作されない。これにより、仮に内枠１４と外枠１２との間にピアノ線等の不正具が侵入されて、この不正具により一方の係合板４０が解除操作された場合でも、他方の係合板４０が解除操作されずに、他方の係合板４０の被係合板７０への係合が維持されて、内枠１４の外枠１２への施錠が不正に解除されることを抑制できる。
【００７４】
さらにまた、内枠１４に設けられた各係合板１４０がガラス枠１３６に設けられた各被係合板１８８に係合される（係合板１４０の係合孔１４２内に被係合板１８８が収容される）ことで、ガラス枠１３６が内枠１４に施錠される。一方、各係合板１４０の各被係合板１８８への係合が解除される（各係合板１４０先端が上方へ回転移動される）ことで、ガラス枠１３６の内枠１４への施錠が解除される。
【００７５】
ここで、各係合板１４０が各被係合板１８８へ係合される際（ガラス枠１３６が内枠１４に対し閉鎖かつ施錠される際）には、内枠１４に設けられた係止板１７０がロック操作される（ガラス枠１３６によって係止板１７０の当接部１７２が後方へ移動されて係止板１７０の係止部１７４がロック板１５４のロック部１５８下方に配置される）。これにより、係止部１７４にロック部１５８が係止されて連結板１４６の下方への移動が阻止されることで、各係合板１４０先端の上方への回転移動が阻止されて、各係合板１４０の各被係合板１８８への係合が解除不能にされる。したがって、仮にガラス枠１３６または外枠１２と内枠１４との間に侵入されたピアノ線等の不正具により各係合板１４０の各被係合板１８８への係合を解除しようとしても、各係合板１４０の各被係合板１８８への係合を解除できず、ガラス枠１３６の内枠１４への施錠が不正に解除されることを抑制できる。
【００７６】
また、鍵部材２８を鍵挿入孔２６内に挿入して矢印Ｂの方向へ回転させる際には、ロック板１５４がロック解除操作される（移動板１７８が下方へ押圧されてロック板１５４の延伸部１５６が下方へ押圧されることでロック部１５８が係止部１７４の後側へ移動される）ことで、ロック部１５８が係止部１７４に係止されることなく連結板１４６が下方へ移動できて、各係合板１４０の各被係合板１８８への係合の解除が許可される。これにより、各係合板１４０の各被係合板１８８への係合を解除できて、ガラス枠１３６の内枠１４への施錠を解除できる。
【００７７】
なお、本実施の形態では、上連絡板４８及び下連絡板５０にカシメピン５４を設けると共に連絡板５６の上端及び下端に長孔５８を設けた構成としたが、上連絡板や下連絡板に長孔を設けると共に連絡板の上端や下端にカシメピンを設けた構成としてもよい。この場合でも、上連絡板や下連絡板とユニット基板との間に架け渡される引張コイルスプリングの付勢力によりカシメピンが長孔の上端に当接する構成とすることで、本実施の形態と同様の効果を得ることができる。
【００７８】
さらに、本実施の形態では、請求項１に記載の発明をガラス枠用施錠機構１３８に適用した構成としたが、請求項１に記載の発明を内枠用施錠機構や皿枠用施錠機構に適用した構成としてもよい。
【図面の簡単な説明】
【００７９】
【図１】本発明の実施の形態に係るパチンコ機における施錠ユニットを示す分解斜視図である。
【図２】本発明の実施の形態に係るパチンコ機において内枠、ガラス枠及び皿枠が開放された状態を示す斜視図である。
【図３】本発明の実施の形態に係るパチンコ機における排出口周辺を示す斜視図である。
【符号の説明】
【００８０】
１０        パチンコ機（遊技機）
１２        外枠（基枠、追加枠）
１４        内枠（第１施錠枠、被施錠枠）
３６        内枠用施錠機構（第１施錠機構）
４０        係合板
４８        上連結板（連結手段）
５０        下連結板（連結手段）
５６        連結板（連結手段）
７０        被係合板
９８        皿枠（第２施錠枠）
１００        皿枠用施錠機構（第２施錠機構）
１３６        ガラス枠（第３施錠枠、施錠枠）
１３８        ガラス枠用施錠機構（第３施錠機構）
１４０        係合板（係合部材）
１５４        ロック板（ロック手段）
１７０        係止板板（ロック手段）
１８８        被係合板（被係合部）
【図１】
2008253837.tif 000003
【図２】
2008253837.tif 000004
【図３】
2008253837.tif 000005